(57)【要約】【課題】扇風機の上方から水をこぼした場合に、電線部を伝ってモータ部へ滴下することを抑制することを目的とする。【解決手段】電線部１８は、モータ部１０からの支持部分１３における斜め上方へ延びる斜め支持１７内と、この斜め支持１７内と本体ケース１内とを連通する連通口１９を介して制御手段３に接続され、電線部１８が連通口１９から本体ケース１内の斜め下方へ伸びるようにガイドするガイド手段２０を備えたので、本体ケース１内の上部に備えた制御手段３から伸びる電線部１８を伝ってモータ部１０へ滴下することを抑制することができる。【選択図】図４
2015148200.tif 000002
【特許請求の範囲】
【請求項１】
吸込口と吹出口を有する本体ケースと、この本体ケースに設けた送風手段と、前記本体ケース内の上部に備えた制御手段とからなり、前記本体ケースは、前記吸込口と前記吹出口とを連通する軸方向が水平方向である筒形状の連通路内に送風手段を支持するモータ支持部を備え、前記送風手段と前記制御手段とは電線部によって電気的に接続され、前記送風手段は、前記モータ支持部に設けられたモータ部と、このモータ部によって回転する羽根部とからなり、前記モータ支持部は、前記モータ部を固定するモータ固定部分と、このモータ固定部分から前記連通路の内面に放射状に伸びた多数の支持部分とからなり、前記電線部は、前記モータ部から前記支持部分における斜め上方へ延びる斜め支持内と、この斜め支持内と前記本体ケース内とを連通する連通口を介して前記制御手段に接続され、前記電線部が前記連通口から前記本体ケース内の斜め下方へ伸びるようにガイドするガイド手段を備えたことを特徴とする扇風機。
【請求項２】
前記ガイド手段は、前記連通口の周縁部から前記本体ケース内に斜め下方へ伸びた板形状で、前記連通口の上方を覆うことを特徴とする請求項１に記載の扇風機。
【請求項３】
前記ガイド手段の下端は、前記連通口の下端より下方まで伸びた構成であることを特徴とする請求項２に記載の扇風機。
【発明の詳細な説明】
【技術分野】
【０００１】
本発明は、扇風機に関するものである。
【背景技術】
【０００２】
従来、この種の扇風機は、吸込口と吹出口を有する本体ケースと、この本体ケースに設けた送風手段と、前記本体ケース内の上部に備えた制御手段とからなり、前記本体ケースは、前記吸込口と前記吹出口とを連通する軸方向が水平方向である筒形状の連通路内に送風手段を支持するモータ支持部を備え、前記送風手段と前記制御手段とは電線部によって電気的に接続され、前記送風手段は、前記モータ支持部に設けられたモータ部と、このモータ部によって回転する羽根部とからなり、前記モータ支持部は、前記モータ部を固定するモータ固定部分と、このモータ固定部分から前記連通路の内面に放射状に伸びた多数の支持部分とからなり、前記電線部は、前記モータ部から多数の前記支持部分における垂直上方へ延びる垂直支持内と、この垂直支持内と前記本体ケース内とを連通する連通口に設けられた孔部とを介して前記制御手段に接続されるものが知られている（例えば、特許文献１参照）。
【先行技術文献】
【特許文献】
【０００３】
【特許文献１】特開昭６１−２６８８９９号公報
【発明の概要】
【発明が解決しようとする課題】
【０００４】
このような従来の扇風機においては、扇風機の上方から水をこぼした場合に、電線部を伝ってモータ部へ滴下する場合があった。
【０００５】
すなわち、従来の物においては、前記電線部は、前記モータ部から多数の前記支持部分における垂直上方へ延びる垂直支持内と、この垂直支持内と前記本体ケース内とを連通する連通口に設けられた孔部とを介して前記制御手段に接続される構成となっていたので、扇風機の上方から水をこぼした場合に、本体ケース内の上部に備えた制御手段から伸びる電線部を伝ってモータ部へ滴下するという課題を有していた。
【０００６】
そこで本発明は、上記従来の課題を解決するものであり、扇風機の上方から水をこぼした場合に、電線部を伝ってモータ部へ滴下することを抑制することを目的とする。
【課題を解決するための手段】
【０００７】
そして、この目的を達成するために、本発明は、吸込口と吹出口を有する本体ケースと、この本体ケースに設けた送風手段と、前記本体ケース内の上部に備えた制御手段とからなり、前記本体ケースは、前記吸込口と前記吹出口とを連通する軸方向が水平方向である筒形状の連通路内に送風手段を支持するモータ支持部を備え、前記送風手段と前記制御手段とは電線部によって電気的に接続され、前記送風手段は、前記モータ支持部に設けられたモータ部と、このモータ部によって回転する羽根部とからなり、前記モータ支持部は、前記モータ部を固定するモータ固定部分と、このモータ固定部分から前記連通路の内面に放射状に伸びた多数の支持部分とからなり、前記電線部は、前記モータ部からの前記支持部分における斜め上方へ延びる斜め支持内と、この斜め支持内と前記本体ケース内とを連通する連通口を介して前記制御手段に接続され、前記電線部が前記連通口から前記本体ケース内の斜め下方へ伸びるようにガイドするガイド手段を備えたことを特徴としたものであり、これにより所期の目的を達成するものである。
【発明の効果】
【０００８】
本発明によれば、吸込口と吹出口を有する本体ケースと、この本体ケースに設けた送風手段と、前記本体ケース内の上部に備えた制御手段とからなり、前記本体ケースは、前記吸込口と前記吹出口とを連通する軸方向が水平方向である筒形状の連通路内に送風手段を支持するモータ支持部を備え、前記送風手段と前記制御手段とは電線部によって電気的に接続され、前記送風手段は、前記モータ支持部に設けられたモータ部と、このモータ部によって回転する羽根部とからなり、前記モータ支持部は、前記モータ部を固定するモータ固定部分と、このモータ固定部分から前記連通路の内面に放射状に伸びた多数の支持部分とからなり、前記電線部は、前記モータ部から多数の前記支持部分における斜め上方へ延びる斜め支持内と、この斜め支持内と前記本体ケース内とを連通する連通口を介して前記制御手段に接続され、前記電線部が前記連通口から前記本体ケース内の斜め下方へ伸びるようにガイドするガイド手段を備えたことを特徴としたものであり、電線部を伝ってモータ部へ滴下することを抑制することができるものである。
【０００９】
すなわち、電線部は、モータ部からの支持部分における斜め上方へ延びる斜め支持内と、この斜め支持内と本体ケース内とを連通する連通口を介して制御手段に接続され、電線部が連通口から本体ケース内の斜め下方へ伸びるようにガイドするガイド手段を備えたので、本体ケース内の上部に備えた制御手段から伸びる電線部を伝ってモータ部へ滴下することを抑制することができる。
【図面の簡単な説明】
【００１０】
【図１】本発明の実施の形態１の扇風機の外観斜視図
【図２】同扇風機の断面図
【図３】同扇風機の本体ケース内を示す図
【図４】同扇風機の本体ケース内、斜め支持を示す図
【発明を実施するための形態】
【００１１】
以下、本発明の実施の形態について図面を参照しながら説明する。
【００１２】
（実施の形態１）
図１および図２に示すように、本実施形態の扇風機は、本体ケース１と、送風手段２と、制御手段３と、風向変更手段４と、支持体５とを備えている。
【００１３】
本体ケース１は、吸込口６と吹出口７とを有している。吸込口６は、本体ケース１における背面側の円形の開口である。吹出口７は、本体ケース１における前面側の円形の開口である。吹出口７には、回転自在に、風向変更手段４が装着されている。本体ケース１は、吸込口６と吹出口７とを連通する軸方向が水平方向である筒形状の連通路８を備えている。この連通路８内に送風手段２を支持するモータ支持部９を設けている。本体ケース１は、支持体５に回動自在に装着されている。
【００１４】
送風手段２は、モータ支持部９に固定されたモータ部１０と、このモータ部１０によって回転する羽根部１１とから構成している。
【００１５】
モータ支持部９は、モータ部１０を固定するモータ固定部分１２と、このモータ固定部分から連通路８の内面に放射状に伸びた多数の支持部分１３とを備えている。
【００１６】
モータ部１０は、略円柱形状で、中心には、モータ軸１４を備え、周面には、複数のフランジ１５を有している。フランジ１５には、ねじ止め用の孔を設けている。羽根部１１は、モータ軸１４に固定されている。
【００１７】
モータ固定部分１２は、本体ケース１における前面側が閉塞した筒形状で、内部に複数のねじ止め用ボス（図示せず）を備えている。モータ固定部分１２内に、モータ部１０を装着し、モータ部１０のフランジ１５の孔を介して、ねじ１６を、ねじ止め用ボスにねじ止めすることで、モータ部１０をモータ固定部分１２に固定できる。
【００１８】
支持部分１３は、モータ固定部分１２の周面から連通路８の内面に放射状に伸びている。これらの支持部分１３の内で、モータ固定部分１２の周面から連通路８の内面へ、斜め上方へ伸びるものが、斜め支持１７である。この斜め支持１７は、本体ケース１における背面側が開口した凹形状である。斜め支持１７は、モータ固定部分１２と、本体ケース１内とに連通している。
【００１９】
制御手段３は、本体ケース１内の一方側の上部に設けられている。制御手段３と送風手段２とは、電線部１８によって電気的に接続されている。
【００２０】
電線部１８は、モータ部１０から支持部分１３における斜め上方へ延びる斜め支持１７内と、この斜め支持１７内と本体ケース１内とを連通する連通口１９を介して制御手段３に接続されている。
【００２１】
本実施形態の特徴は、電線部１８が連通口１９から本体ケース１内の斜め下方へ伸びるようにガイドするガイド手段２０を備えた点である。具体的には、モータ部１０から伸びた電線部１８は、モータ固定部分１２内から斜め支持１７内、連通口１９を介して、本体ケース１内へ伸びている。ここで、斜め支持１７内と本体ケース１内とを連通する連通口１９にガイド手段２０を備え、このガイド手段２０によって、電線部１８が連通口１９から本体ケース１内の斜め下方へ伸びるようにガイドされる。この斜め下方へ伸びるようにガイドされた電線部１８は、ガイド手段２０から外れると、そこから上方の制御手段３へ伸びている。
【００２２】
これにより、扇風機の上方から水をこぼした場合に、本体ケース１内に入り込んだ水滴が、制御手段３とガイド手段２０との間の電線部１８に付着した場合にも、電線部１８が連通口１９から本体ケース１内の斜め下方へ伸びているので、連通口１９を介して、斜め支持１７内へ浸入することを防止できる。結果として、本体ケース１内の上部に備えた制御手段３から伸びる電線部１８を伝ってモータ部１０へ滴下することを抑制することができる。
【００２３】
また、ガイド手段２０は、連通口１９の周縁部から本体ケース内に斜め下方へ伸びた板形状で、連通口１９の上方を覆うものである。
【００２４】
これにより、扇風機の上方から水をこぼした場合に、本体ケース１内に入り込んだ水滴が、ガイド手段２０に付着した場合にも、連通口１９の周縁部から本体ケース１内に斜め下方へ伸びた板形状で、連通口１９の上方を覆うので、連通口１９を介して、斜め支持１７内へ浸入することを防止できる。
【００２５】
また、ガイド手段２０の下端は、連通口１９の下端より下方まで伸びた構成である。
【００２６】
これにより、扇風機の上方から水をこぼした場合に、本体ケース１内に入り込んだ水滴が、ガイド手段２０に付着した場合にも、ガイド手段２０の下端は、連通口１９の下端より下方まで伸び手いるので、連通口１９を介して、斜め支持内へ浸入することを防止できる。
【００２７】
また、斜め支持１７は、本体ケース１における背面側が開口した凹形状である。具体的には、本体ケース１における前面側である前面側斜め支持板（図示せず）と、この前面側斜め支持板の上方端部から本体ケース１における背面側へ伸びた上面斜め支持板２２と、前面側斜め支持板の下方端部から本体ケース１における背面側へ伸びた下面斜め支持板２３とから構成している。ここで、斜め支持１７の下方部分、つまりモータ固定部分１２側は、上面斜め支持板２２の本体ケース１における背面側端部は、下面斜め支持板２３の本体ケース１における背面側端部より、本体ケース１における背面側へ伸びている。
【００２８】
これにより、扇風機の上方から水をこぼした場合に、斜め支持１７の上面斜め支持板２２の上面に水滴が付着し、上面斜め支持板２２の本体ケースにおける背面側の端部から滴下しても、斜め支持１７内へ浸入することを防止できる。
【産業上の利用可能性】
【００２９】
本発明によれば、吸込口と吹出口を有する本体ケースと、この本体ケースに設けた送風手段と、前記本体ケース内の上部に備えた制御手段とからなり、前記本体ケースは、前記吸込口と前記吹出口とを連通する軸方向が水平方向である筒形状の連通路内に送風手段を支持するモータ支持部を備え、前記送風手段と前記制御手段とは電線部によって電気的に接続され、前記送風手段は、前記モータ支持部に設けられたモータ部と、このモータ部によって回転する羽根部とからなり、前記モータ支持部は、前記モータ部を固定するモータ固定部分と、このモータ固定部分から前記連通路の内面に放射状に伸びた多数の支持部分とからなり、前記電線部は、前記モータ部から多数の前記支持部分における斜め上方へ延びる斜め支持内と、この斜め支持内と前記本体ケース内とを連通する連通口を介して前記制御手段に接続され、前記電線部が前記連通口から前記本体ケース内の斜め下方へ伸びるようにガイドするガイド手段を備えたことを特徴としたものであり、電線部を伝ってモータ部へ滴下することを抑制することができるものである。
【００３０】
すなわち、電線部は、モータ部からの支持部分における斜め上方へ延びる斜め支持内と、この斜め支持内と本体ケース内とを連通する連通口を介して制御手段に接続され、電線部が連通口から本体ケース内の斜め下方へ伸びるようにガイドするガイド手段を備えたので、本体ケース内の上部に備えた制御手段から伸びる電線部を伝ってモータ部へ滴下することを抑制することができる。
【００３１】
従って、家庭用や事務所用などの、扇風機として活用が期待される。
【符号の説明】
【００３２】
１      本体ケース
２      送風手段
３      制御手段
４      風向変更手段
５      支持体
６      吸込口
７      吹出口
８      連通路
９      モータ支持部
１０    モータ部
１１    羽根部
１２    モータ固定部分
１３    支持部分
１４    モータ軸
１５    フランジ
１６    ねじ
１７    斜め支持
１８    電線部
１９    連通口
２０    ガイド手段
２２    上面斜め支持板
２３    下面斜め支持板
【図２】
2015148200.tif 000003
【図３】
2015148200.tif 000004
【図４】
2015148200.tif 000005
【図１】
2015148200.tif 000006